(57)【要約】【課題】スロットマシンの組立後であっても、リール窓内を容易に清掃することができる、表示パネルユニットを提供する。【解決手段】外側透明部材４１および内側部材は、透明な樹脂からなる。外側透明部材４１と内側透明部材４２とにより、表示パネル３１が外側透明部材４１の前面部４３の内面４３Ｆに面接触した状態で挟持される。表示パネル３１の中央部には、リール窓１０を構成するフィルム開口３５が形成されている。内側透明部材４２の中央部には、フィルム開口３５と連通する内側開口５８が形成されている。ランプ保持部材３３に、遮光部７３が設けられている。遮光部７３は、内側開口５８内に入り込み、外側透明部材４１の前面部４３の内面４３Ｆと内側透明部材４２の内側開口５８に臨む端面４２Ｆとに対向している。【選択図】図４
2014036715.tif 000002
【特許請求の範囲】
【請求項１】
周面に図柄が描かれたリールを備える遊技機に設けられて、前記リールの前記周面の一部を視認可能にするためのリール窓を有する表示パネルユニットであって、
透明材料からなり、前記リールの前記周面に前側から対向する前面部を有する外側部材と、
前記外側部材に対して前記リール側に設けられて、前記前面部の内面に面接触し、中央部に前記リール窓を構成するフィルム開口が形成された印刷フィルムと、
透明材料からなり、前記印刷フィルムに対して前記リール側に設けられて、前記外側部材との間に前記印刷フィルムを挟持し、中央部に前記フィルム開口と連通する内側開口が形成された内側部材と、
前記リール窓の周辺において、前記内側部材に対して前記リール側に設けられ、前記内側部材、前記印刷フィルムおよび前記外側部材をこの順に透過するパネル照明光を出射するパネルランプと、
不透明材料からなり、前記内側開口内に入り込み、前記外側部材の前記前面部の前記内面と前記内側部材の前記内側開口に臨む端面とに対向する遮光部を有する不透明部材とを含む、表示パネルユニット。
【請求項２】
前記パネルランプは、前記リール窓に対する上側の位置に設けられ、
前記パネルランプの下方に設けられ、前記リールの前記周面の前方を照明するためのリール照明光を出射するリールランプをさらに含み、
前記不透明部材は、前記リールランプから出射されるリール照明光を反射させる反射部を有している、請求項１に記載の表示パネルユニット。
【請求項３】
前記パネルランプは、前記リール窓に対する上側、左側および右側の各位置に設けられ、
前記遮光部は、環状をなし、前記内側部材の前記端面と当該端面の全周にわたって対向している、請求項１または２に記載の表示パネルユニット。
【発明の詳細な説明】
【技術分野】
【０００１】
本発明は、スロットマシンやパチンコ機などの遊技機に備えられる表示パネルユニットに関する。
【背景技術】
【０００２】
たとえば、スロットマシンは、前面が開放された箱型の本体と、本体の前面を開閉可能に設けられた前扉とを備えている。本体内には、３個のリールが左右に並べて配置されている。前扉には、３個のリールに一括して臨むように、リール窓が設けられている。リール窓の周囲には、ベット（ＢＥＴ）数に応じて有効化された入賞ラインの表示やゲームの演出のための表示器が配置されている。前扉にはさらに、メダルを投入するためのメダル投入口、ゲームにメダルをベットするためのベットボタン、リールの回転を指示するためのスタートレバー、リールの停止を指示するためのストップボタンおよびメダルを受ける受皿などが配置されている。
【０００３】
リールおよびリール窓の周囲の表示器は、スロットマシンの仕様（機種）に応じて変更されるべきものである。一方、メダル投入口、ベットボタン、スタートレバー、ストップボタンおよび受皿などは、スロットマシンの仕様とほぼ無関係であり、種々の仕様のスロットマシンに共通に用いることができるものである。
【０００４】
そこで、一般的なスロットマシンでは、３個のリールおよび表示器がそれぞれリールユニットおよび表示パネルユニットとしてユニット化されて、そのリールユニットおよび表示パネルユニットが交換可能に設けられている。本体および前扉からそれぞれリールユニットおよび表示パネルユニットを取り外し、それらとデザインが異なるリールユニットおよび表示パネルユニットをそれぞれ本体および前扉に装着することにより、メダル投入口、ベットボタン、スタートレバー、ストップボタンおよび受皿などを再利用しながら、スロットマシンの外観を大きく変更することができる。
【０００５】
表示パネルユニットは、たとえば、リール窓の周囲に配置される部分が半透明に着色されたプラスチック板からなる表示パネルと、透明なプラスチックからなり、表示パネルを保持するパネル保持部材とを含む。表示パネルの半透明に着色された部分には、ライン表示部などが設けられており、たとえば、パネル保持部材の内側（裏側）に配置されたランプからの光でライン表示部が選択的に照明されることにより、有効化された入賞ラインが表示される。
【先行技術文献】
【特許文献】
【０００６】
【特許文献１】特開２００４−１４７９６０号公報
【発明の概要】
【発明が解決しようとする課題】
【０００７】
パネル保持部材の構成として、図８に示される構成が考えられる。すなわち、図８に示されるように、パネル保持部材９１は、表示パネル９２を外側および内側から挟み込む外側透明部材９３および内側透明部材９４を備える。この構成では、表示パネル９２を新しいデザインのものと交換すれば、パネル保持部材９１も再利用しながら、スロットマシンの外観を変更することができる。
【０００８】
しかしながら、外側透明部材９３と内側透明部材９４との間に表示パネル９２が挟み込まれるときに、表示パネル９２におけるリール窓となる部分９５に塵埃が入り込むと、その塵埃が目立ち、スロットマシンの外観が損なわれるおそれがある。この塵埃を除去するには、外側透明部材９３と内側透明部材９４とを分離させなければならない。そのため、スロットマシンが組み立てられた後に、外側透明部材９３と内側透明部材９４との間から塵埃を除去することは容易ではない。
【０００９】
本発明の目的は、スロットマシンの組立後であっても、リール窓内を容易に清掃することができる、表示パネルユニットを提供することである。
【課題を解決するための手段】
【００１０】
以下、本発明について説明する。なお、発明の理解を容易にするため、添付図面の参照符号等を括弧書きにて付記するが、それにより本発明が表示の形態に限定されるものではない。
【００１１】
前記の目的を達成するため、本発明に係る表示パネルユニット（９）は、周面に図柄が描かれたリール（４Ｌ，４Ｃ，４Ｒ）を備える遊技機（１）に設けられて、前記リール（４Ｌ，４Ｃ，４Ｒ）の前記周面の一部を視認可能にするためのリール窓（１０）を有する表示パネルユニット（９）である。前記表示パネルユニット（９）は、透明材料からなり、前記リール（４Ｌ，４Ｃ，４Ｒ）の前記周面に前側から対向する前面部（４３）を有する外側部材（４１）と、前記外側部材（４１）に対して前記リール（４Ｌ，４Ｃ，４Ｒ）側に設けられて、前記前面部（４３）の内面（４３Ｆ）に面接触し、中央部に前記リール窓（１０）を構成するフィルム開口（３５）が形成された印刷フィルム（３１）と、透明材料からなり、前記印刷フィルム（３１）に対して前記リール（４Ｌ，４Ｃ，４Ｒ）側に設けられて、前記外側部材（４１）との間に前記印刷フィルム（３１）を挟持し、中央部に前記フィルム開口（３５）と連通する内側開口（５８）が形成された内側部材（４２）と、前記リール窓（１０）の周辺において、前記内側部材（４２）に対して前記リール（４Ｌ，４Ｃ，４Ｒ）側に設けられ、前記内側部材（４２）、前記印刷フィルム（３１）および前記外側部材（４１）をこの順に透過するパネル照明光を出射するパネルランプ（８１，８２Ｕ）と、不透明材料からなり、前記内側開口（５８）内に入り込み、前記外側部材（４１）の前記前面部（４３）の前記内面（４３Ｆ）と前記内側部材（４２）の前記内側開口（５８）に臨む端面（４２Ｆ）とに対向する遮光部（７３）を有する不透明部材（３３）とを含む。
【００１２】
外側部材（４１）および内側部材（４２）は、透明材料からなる。外側部材（４１）は、遊技機のリール（４Ｌ，４Ｃ，４Ｒ）の周面に前側から対向する前面部（４３）を有している。内側部材（４２）は、外側部材（４１）に対してリール（４Ｌ，４Ｃ，４Ｒ）側に配置される。外側部材（４１）と内側部材（４２）とにより、印刷フィルム（３１）が外側部材（４１）の前面部（４３）の内面（４３Ｆ）に面接触した状態で挟持される。
【００１３】
印刷フィルム（３１）の中央部には、リール窓（１０）を構成するフィルム開口（３５）が形成されている。内側部材（４２）の中央部には、フィルム開口（３５）と連通する内側開口（５８）が形成されている。そのため、遊技機の組立後に、内側部材（４２）側から内側開口（５８）およびフィルム開口（３５）を介して、リール窓（１０）内を容易に清掃することができる。よって、遊技機の組立後であっても、外側部材（４１）の前面部（４３）の内面（４３Ｆ）におけるリール窓（１０）に臨む部分に付着している塵埃を容易に除去することができる。その結果、遊技機の外観を美しい状態に維持することができる。
【００１４】
内側部材（４２）に対してリール（４Ｌ，４Ｃ，４Ｒ）側には、パネルランプ（８１，８２Ｕ）が配置されている。パネルランプ（８１，８２Ｕ）から出射されるパネル照明光は、内側部材（４２）、印刷フィルム（３１）および外側部材（４１）をこの順に透過する。これにより、印刷フィルム（３１）がパネル照明光で照明される。また、内側部材（４２）に内側開口（５８）が形成されていることにより、内側部材（４２）には、内側開口（５８）に臨む端面（４２Ｆ）が生じている。そのため、内側部材（４２）を透過するパネル照明光の一部がその端面（４２Ｆ）から出射する。
【００１５】
この端面（４２Ｆ）から出射するパネル照明光がリール窓（１０）内を進行すると、リール窓（１０）に対向して配置されるリール（４Ｌ，４Ｃ，４Ｒ）の周面の前方がパネル照明光で照明され、光によるゲームの演出と遊技者に誤解されるおそれがある。
【００１６】
そこで、不透明材料からなる不透明部材（３３）に、遮光部（７３）が設けられている。遮光部（７３）は、内側開口（５８）内に入り込み、外側部材（４１）の前面部（４３）の内面（４３Ｆ）と内側部材（４２）の内側開口（５８）に臨む端面（４２Ｆ）とに対向している。これにより、内側部材（４２）の端面（４２Ｆ）から出射するパネル照明光を遮光部（７３）で遮断することができる。そのため、リール（４Ｌ，４Ｃ，４Ｒ）の周面の前方がパネル照明光で照明されることを防止できる。
【００１７】
なお、遮光部（７３）は、外側部材（４１）の前面部（４３）の内面（４３Ｆ）に対し、直接対向していてもよいし、印刷フィルム（３１）を挟んで対向していてもよい。
【００１８】
パネルランプ（８１，８２Ｕ）は、リール窓（１０）に対する上側の位置に設けられていてもよい。また、パネルランプ（８１，８２Ｕ）の下方には、リール（４Ｌ，４Ｃ，４Ｒ）の周面の前方を照明するためのリール照明光を出射するリールランプ（８２Ｌ）が設けられていてもよい。この場合、不透明部材（３３）は、リールランプ（８２Ｌ）から出射されるリール照明光を反射させる反射部（６８）を有していることが好ましい。
【００１９】
この構成によれば、リールランプ（８２Ｌ）からのリール照明光は、反射部（６８）で反射して、リール（４Ｌ，４Ｃ，４Ｒ）の周面の前方に向けて進行する。これにより、リール照明光が内側部材（４２）、印刷フィルム（３１）および外側部材（４１）をこの順に透過することを防止できる。その結果、印刷フィルム（３１）がリール照明光によって照明されることを防止できる。
【００２０】
パネルランプ（８１，８２Ｕ）は、リール窓（１０）に対する上側、左側および右側の各位置に設けられていてもよい。この場合、遮光部（７３）は、環状をなし、内側部材（４２）の端面（４２Ｆ）と当該端面（４２Ｆ）の全周にわたって対向していることが好ましい。
【００２１】
この構成によれば、パネルランプ（８１，８２Ｕ）がリール窓（１０）の上側、左側および右側の各位置に配置されているので、印刷フィルム（３１）におけるリール窓（１０）の上側、左側および右側に位置する部分をパネルランプ（８１，８２Ｕ）からのパネル照明光で照明することができる。
【００２２】
一方、遮光部（７３）が内側部材（４２）の端面（４２Ｆ）とその全周にわたって対向しているので、内側部材（４２）の端面（４２Ｆ）のどの部分から出射するパネル照明光も遮光部（７３）で遮断することができる。そのため、リール（４Ｌ，４Ｃ，４Ｒ）の周面の前方がパネル照明光で照明されることを良好に防止できる。
【００２３】
また、内側部材（４２）に内側開口（５８）が形成されている構成では、外側部材（４１）の前面部（４３）における内側開口（５８）と対向する部分が内側部材（４２）と接していないので、当該部分の強度が外側部材（４１）の他の部分の強度よりも小さい。外側部材（４１）の前面部（４３）における内側開口（５８）と対向する部分に環状の遮光部（７３）が対向しているので、当該部分がリール（４Ｌ，４Ｃ，４Ｒ）側に押されることによって変形したときに、外側部材（４１）が遮光部（７３）に当接し、外側部材（４１）のそれ以上の変形を阻止することができる。その結果、外側部材（４１）の前面部（４３）における内側開口（５８）と対向する部分の補強の効果が得られ、当該部分の破損などを防止することができる。
【発明の効果】
【００２４】
本発明によれば、遊技機の組立後に、内側部材側から内側開口およびフィルム開口を介して、リール窓内を容易に清掃することができる。よって、遊技機の組立後であっても、外側部材の前面部の内面におけるリール窓に臨む部分に付着している塵埃を容易に除去することができる。
【００２５】
また、内側部材の端面から出射するパネル照明光が遮光部で遮断されるので、リールの周面の前方がパネル照明光で照明されることを防止できる。
【図面の簡単な説明】
【００２６】
【図１】図１は、本発明の一実施形態に係るスロットマシンの斜視図である。
【図２】図２は、表示パネルユニットの分解斜視図である。
【図３】図３は、表示パネルユニットの正面図である。
【図４】図４は、図３に示される切断面線Ａ−Ａにおける表示パネルユニットの断面図である。
【図５】図５は、図４に示される二点鎖線で囲まれる部分の部分拡大図である。
【図６】図６は、図３に示される切断面線Ｂ−Ｂにおける表示パネルユニットの断面図である。
【図７】図７は、図６に示される二点鎖線で囲まれる部分の部分拡大図である。
【図８】図８は、従来の表示パネルユニットの分解斜視図である。
【発明を実施するための形態】
【００２７】
以下では、本発明の実施の形態について、添付図面を参照しつつ詳細に説明する。
【００２８】
＜スロットマシンの全体構成＞
【００２９】
図１は、本発明の一実施形態に係るスロットマシンの斜視図である。
【００３０】
スロットマシン１は、前面が開放された箱型の本体２と、本体２の前面を開閉可能に設けられた前扉３とを備えている。
【００３１】
本体２内には、上下方向の中央部より少し上方の位置に、３個のリール４Ｌ，４Ｃ，４Ｒが左右に並べて配置されている。各リール４Ｌ，４Ｃ，４Ｒは、ドラム状のリール枠の周面にリール帯を巻着した構成を有しており、リール枠の中心で左右方向に延びる軸を中心に回転可能に設けられている。リール帯には、たとえば、２１個の図柄が周方向に並べて配置されている。
【００３２】
前扉３は、表示部５、操作部６および演出表示部７を備えている。
【００３３】
表示部５は、リール４Ｌ，４Ｃ，４Ｒと対向する位置に設けられている。表示部５は、前扉３に形成された略矩形状の取付開口８と、取付開口８にリール４Ｌ，４Ｃ，４Ｒ側から嵌め込まれた表示パネルユニット９とを含む構成である。
【００３４】
表示パネルユニット９の中央部には、リール４Ｌ，４Ｃ，４Ｒの周面の一部を視認可能にするためのリール窓１０が設けられている。リール４Ｌ，４Ｃ，４Ｒの回転中は、リール窓１０内に、各リール４Ｌ，４Ｃ，４Ｒの図柄が次々に現れる（図柄の変動表示）。リール４Ｌ，４Ｃ，４Ｒが停止すると、リール窓１０内に、各リール４Ｌ，４Ｃ，４Ｒの３個の図柄が表示される（図柄の停止表示）。
【００３５】
操作部６は、表示部５の下端から前側に突出し、前扉３のほぼ全幅にわたって設けられた上面１１と、上面１１の前端縁に連続し、前扉３のほぼ全幅にわたって上下方向に延びる前面１２とを有している。
【００３６】
上面１１は、手前側に少し下り傾斜している。上面１１の右端部には、メダル投入口１３が設けられている。また、上面１１の左側に片寄った位置には、ＭＡＸベットボタン１４が設けられている。
【００３７】
メダル投入口１３からメダルが投入されると、その投入されたメダルがゲームにベットされる。１ゲームに対して、最大で３枚のメダルをベットすることができる。１ゲームにベットされたメダルの枚数（ベット数）に応じた本数の入賞ラインが有効化される。３枚のメダルがゲームにベットされている状態で、メダル投入口１３からメダルが投入された場合には、その投入されたメダルは、５０枚を上限として、スロットマシン１にクレジットされる。
【００３８】
また、３枚以上のメダルがスロットマシン１にクレジットされている状態で、ＭＡＸベットボタン１４が押操作されると、そのクレジットされているメダルから３枚のメダルがゲームにベットされ、スロットマシン１にクレジットされているメダル枚数（クレジット数）が３だけ減算される。
【００３９】
前面１２の左端部には、スタートレバー１５が設けられている。また、前面１２の中央部には、左ストップボタン１６Ｌ、中ストップボタン１６Ｃおよび右ストップボタン１６Ｒが左右に等間隔を空けて設けられている。
【００４０】
１枚以上のメダルがベットされた後、スタートレバー１５が操作されると、リール４Ｌ，４Ｃ，４Ｒが一斉に回転し始める。その後、左ストップボタン１６Ｌ、中ストップボタン１６Ｃおよび右ストップボタン１６Ｒが操作されると、それぞれリール４Ｌ，４Ｃ，４Ｒの回転が停止する。すべてのリール４Ｌ，４Ｃ，４Ｒが停止すると、１ゲームが終了である。
【００４１】
すべてのリール４Ｌ，４Ｃ，４Ｒが停止した時点で有効化されている入賞ライン上にいずれかの役に対応した図柄の組合せが並べば、その役の入賞となる。役によっては、所定枚数のメダルが払い出される。入賞に対して払い出されるメダルは、スロットマシン１にクレジットされるか、または、前扉３の最下部に設けられた受皿１７に排出される。
【００４２】
演出表示部７には、ゲームの進行に合わせた演出画像などを表示するための液晶表示器１８が設けられている。また、演出表示部７には、液晶表示器１８の左方および右方に、ゲーム中の雰囲気を盛り上げるための効果音などを出力するスピーカ１９が配置されている。
【００４３】
また、前扉３には、操作部６の下方に、スロットマシン１の機種名などを表示する表示パネル２０が装着されている。
【００４４】
さらに、受皿１７と表示パネル２０との間には、スピーカ１９とともに効果音などを出力するスピーカ２１が配置されている。
【００４５】
＜表示パネルユニット＞
【００４６】
図２は、表示パネルユニットの分解斜視図である。
【００４７】
表示パネルユニット９は、表示パネル３１と、表示パネル３１を保持するパネル保持部材３２と、パネル保持部材３２の後側に配置されるランプ保持部材３３と、ランプ保持部材３３に保持される３個のランプ基板３４とを備えている。
【００４８】
＜表示パネル＞
【００４９】
表示パネル３１は、厚さ０．２ｍｍ程度の薄いフィルム状の透明なプラスチックシートからなる。表示パネル３１は、矩形状をなしている。
【００５０】
表示パネル３１の中央部には、リール窓１０を構成するフィルム開口３５が形成されている。フィルム開口３５は、左右方向に３個のリール４Ｌ，４Ｃ，４Ｒの合計幅よりも大きい幅を有し、上下方向にリール４Ｌ，４Ｃ，４Ｒの周面に描かれた図柄３個分程度の幅を有する矩形状をなしている。
【００５１】
表示パネル３１の周縁部、つまり表示パネル３１におけるフィルム開口３５の周囲は、印刷により、半透明または不透明に着色されている。そして、表示パネル３１におけるフィルム開口３５の周囲には、半透明な着色により、各種の表示部３６，３７，３８，３９が設けられている。具体的には、フィルム開口３５の左右両側には、ベット数に応じて有効化されたラインを表示するための５個のライン表示部３６が設けられている。フィルム開口３５の上側には、各リール４Ｌ，４Ｃ，４Ｒに対応づけて、左ストップボタン１６Ｌ、中ストップボタン１６Ｃおよび右ストップボタン１６Ｒの押し順を報知するなどの演出のための３個の演出表示部３７が設けられている。フィルム開口３５の下側には、クレジット数を表示するためのクレジット数表示部３８および役の入賞に対して付与されるメダル数（配当数）を表示するための配当数表示部３９が設けられている。
【００５２】
＜パネル保持部材＞
【００５３】
パネル保持部材３２は、透明な樹脂からなる外側透明部材４１および内側透明部材４２を備えている。
【００５４】
外側透明部材４１は、左右方向に長い略矩形板状の前面部４３と、前面部４３の周縁から後方に延出する側面部４４とを一体的に有している。側面部４４には、前面部４３の上端縁に沿って延びる上側面部４５、前面部４３の下端縁に沿って延びる下側面部４６、前面部４３の左端縁に沿って延びる左側面部４７および前面部４３の右端縁に沿って延びる右側面部４８が含まれる。
【００５５】
前面部４３における側面部４４の内側の部分は、表示パネル３１とほぼ同じ形状をなしている。
【００５６】
上側面部４５には、図２に示されるように、２つの切欠部４９が左右方向に互いに間隔を空けて設けられている。各切欠部４９には、切欠部４９に臨む端面から後方に突出する平面視コ字状の係止部５０が形成されている。
【００５７】
下側面部４６には、４個の矩形状の係合孔（図示せず）が左右方向に各間に間隔を空けて設けられている。各係合孔は、左右方向に長い長孔として形成されている。
【００５８】
内側透明部材４２は、左右方向に長い略矩形板状の対向部５２と、対向部５２の周縁から後方に延出する側面部５３とを一体的に有している。側面部５３には、対向部５２の上端縁に沿って延びる上側面部５４、対向部５２の下端縁に沿って延びる下側面部５５、対向部５２の左端縁に沿って延びる左側面部５６および対向部５２の右端縁に沿って延びる右側面部５７が含まれる。
【００５９】
対向部５２は、外側透明部材４１の前面部４３における側面部４４の内側の部分とほぼ同じ形状をなしている。対向部５２の中央部には、内側開口５８が形成されている。内側開口５８は、表示パネル３１のフィルム開口３５よりも上下方向および左右方向の寸法が大きい矩形状をなしている。
【００６０】
上側面部５４の上面には、図２に示されるように、２個の被係止突起５９が突設されている。２個の被係止突起５９間には、左右方向に外側透明部材４１の２個の係止部５０の間隔と等しい間隔が空けられている。各被係止突起５９は、直方体形状をなしている。
【００６１】
下側面部５５には、４個の係合突起（図示せず）が左右方向に各間に間隔を空けて設けられている。４個の係合突起の各間には、左右方向に外側透明部材４１の４個の係合孔の間隔と等しい間隔が空けられている。各係合突起は、直方体形状をなしている。
【００６２】
外側透明部材４１の前面部４３の内面４３Ｆ上、つまり側面部４４に囲まれる部分に、表示パネル３１が配置されている。表示パネル３１の前面は、外側透明部材４１の前面部４３の内面４３Ｆに面接触によって密着している。
【００６３】
内側透明部材４２は、表示パネル３１の後側に配置されている。具体的には、内側透明部材４２は、対向部５２の前面が表示パネル３１に密着し、側面部５３が外側透明部材４１の側面部４４に内側から対向するように配置されている。そして、内側透明部材４２の各係合突起が外側透明部材４１の係合孔に嵌め込まれ、内側透明部材４２の各被係止突起５９に係止部５０が係止されることにより、外側透明部材４１と内側透明部材４２とが互いに固定され、表示パネル３１が外側透明部材４１と内側透明部材４２とによって挟持されている。
【００６４】
この状態で、表示パネル３１のフィルム開口３５と内側透明部材４２の内側開口５８とが対向して互いに連通する。また、表示パネル３１のフィルム開口３５の周縁部は、内側透明部材４２の内側開口５８の周縁の内側に配置されている。
【００６５】
＜ランプ保持部材＞
【００６６】
図３は、表示パネルユニットの正面図である。図４は、図３に示される切断面線Ａ−Ａにおける表示パネルユニットの断面図である。図５は、図４に示される二点鎖線で囲まれる部分の部分拡大図である。図６は、図３に示される切断面線Ｂ−Ｂにおける表示パネルユニットの断面図である。図７は、図６に示される二点鎖線で囲まれる部分の部分拡大図である。
【００６７】
ランプ保持部材３３は、不透明な白色樹脂からなる一体成形品である。ランプ保持部材３３は、全体として四角枠状をなしている。具体的には、ランプ保持部材３３は、左右１対の側部６１と、各側部６１の上端間に架設される上部６２と、各側部６１の下端間に架設される下部６３とを備えている。
【００６８】
各側部６１は、正面視で上下方向に長い矩形状をなしている。左右の側部６１は、左右方向に間隔を空けて配置され、それぞれ内側透明部材４２の対向部５２の左端部および右端部に後側から対向する。各側部６１には、表示パネル３１の各ライン表示部３６と対向する位置に、円形のＬＥＤ配置孔６４が形成されている。
【００６９】
上部６２は、内側透明部材４２の対向部５２の上端部に後側から対向する。上部６２は、左右方向および前後方向に延びる板状の下板部６５と、下板部６５の上方に間隔を空けて対向配置され、下板部６５と平行に延びる板状の上板部６６と、下板部６５と上板部６６との間にそれらと上下方向に間隔を空けて対向配置され、下板部６５および上板部６６と平行に延びる板状の仕切板部６７と、仕切板部６７の前端縁の全幅から前下方に傾斜して延びる板状の反射部６８とを備えている。
【００７０】
下板部６５と仕切板部６７との間には、２個の分離壁部６９が左右方向に等間隔を空けて形成されている。各分離壁部６９は、上下方向に延びるリブ状をなし、下板部６５の上面および仕切板部６７の下面に接続されている。下板部６５と仕切板部６７との間の空間は、２個の分離壁部６９により、３つのリール照明光通過空間７０に分離されている。各リール照明光通過空間７０は、前後に開放されている。
【００７１】
また、上板部６６と仕切板部６７との間には、８個の分離壁部７１が左右方向に等間隔を空けて形成されている。各分離壁部７１は、ブロック状をなし、上板部６６の下面および仕切板部６７の上面に接続されている。上板部６６と仕切板部６７との間の空間は、８個の分離壁部７１により、９つのパネル照明光通過空間７２に分離されている。各パネル照明光通過空間７２は、前後に開放されている。
【００７２】
そして、ランプ保持部材３３は、左側の側部６１の右端縁、右側の側部６１の左端縁、上部６２の反射部６８の前端縁および下部６３の上端縁から前方に突出し、正面視で内側透明部材４２の内側開口５８よりも外形が少し小さい四角環状をなす遮光部７３を有している。
【００７３】
ランプ保持部材３３は、図４、図５、図６および図７に示されるように、遮光部７３が内側開口５８に後側から入り込んだ状態に設けられる。この状態で、遮光部７３の先端面は、表示パネル３１のフィルム開口３５の周縁部に当接し、外側透明部材４１の前面部４３の内面４３Ｆに対して表示パネル３１を挟んで対向する。また、遮光部７３の外周面は、内側透明部材４２の内側開口５８に臨む端面４２Ｆに対して微小な間隔を空けて、その全周にわたって対向する。
【００７４】
＜ランプ基板＞
【００７５】
３個のランプ基板３４は、それぞれランプ保持部材３３の左右の側部６１および上部６２の後側に配置されて、ランプ保持部材３３に取り付けられて保持されている。
【００７６】
各側部６１の後側に配置されるランプ基板３４には、５個のＬＥＤ８１が上下方向に間隔を空けて１列に整列して配置されている。５個のＬＥＤ８１の間隔は、各側部６１の５個のＬＥＤ配置孔６４の間隔と等しく、各ＬＥＤ８１は、ＬＥＤ配置孔６４に後側から入り込み、ＬＥＤ配置孔６４内に配置されている。
【００７７】
上部６２の後側に配置されるランプ基板３４には、１８個のＬＥＤ８２が上下２段に９個ずつに分けられて配置されている。各段の９個のＬＥＤ８２Ｕ，８２Ｌは、左右方向に等間隔を空けて１列に整列して配置されている。上段の９個のＬＥＤ８２Ｕは、それぞれ上部６２の９つのパネル照明光通過空間７２に後側から入り込み、パネル照明光通過空間７２内に配置されている。また、下段の９個のＬＥＤ８２Ｌは、左側の３個のＬＥＤ８２Ｌの組、中央の３個のＬＥＤ８２Ｌの組および右側の３個のＬＥＤ８２Ｌの組に分けられており、その３組のＬＥＤ８２Ｌは、それぞれ上部６２の３つのリール照明光通過空間７０内に配置されている。
【００７８】
＜表示態様＞
【００７９】
ランプ保持部材３３の各側部６１の後側に配置されるランプ基板３４のＬＥＤ８１は、ゲームに対するベット数に応じて点灯／消灯される。
【００８０】
ベット数が１である場合、つまりゲームに１枚のメダルがベットされた場合には、各ランプ基板３４の中央の１個のＬＥＤ８１が点灯され、残りの４個のＬＥＤ８１が消灯される。各ランプ基板３４の中央のＬＥＤ８１から出射されるパネル照明光は、ランプ保持部材３３のＬＥＤ配置孔６４内を前方に進行し、内側透明部材４２の対向部５２の左端部／右端部を透過して、表示パネル３１のフィルム開口３５の左右各側に配置された５個のライン表示部３６のうちの中央のライン表示部３６を照明する。
【００８１】
ベット数が２である場合、つまりゲームに２枚のメダルがベットされた場合には、各ランプ基板３４の中央およびその上下の３個のＬＥＤ８１が点灯され、上端および下端のＬＥＤ８１が消灯される。各ランプ基板３４の３個のＬＥＤ８１から出射されるパネル照明光は、ランプ保持部材３３のＬＥＤ配置孔６４内を前方に進行し、内側透明部材４２の対向部５２の左端部／右端部を透過して、表示パネル３１のフィルム開口３５の左右各側に配置された５個のライン表示部３６のうちの中央およびその上下の３個のライン表示部３６を照明する。
【００８２】
ベット数が３である場合、つまりゲームに３枚のメダルがベットされた場合には、各ランプ基板３４の５個すべてのＬＥＤ８１が点灯される。各ランプ基板３４の５個のＬＥＤ８１から出射されるパネル照明光は、ランプ保持部材３３のＬＥＤ配置孔６４内を前方に進行し、内側透明部材４２の対向部５２の左端部／右端部を透過して、表示パネル３１のフィルム開口３５の左右各側に配置された５個のライン表示部３６を照明する。
【００８３】
ランプ保持部材３３の上部６２の後側のランプ基板３４に配置された上段の９個のＬＥＤ８２Ｕは、たとえば、リール４Ｌ，４Ｃ，４Ｒの回転時に、左ストップボタン１６Ｌ、中ストップボタン１６Ｃおよび右ストップボタン１６Ｒの押し順を報知するために点灯／消灯される。
【００８４】
左ストップボタン１６Ｌの押操作を案内するときには、左側の３個のＬＥＤ８２Ｕが点灯される。このとき、各ＬＥＤ８２Ｕから出射されるパネル照明光は、ランプ保持部材３３のパネル照明光通過空間７２を前方に進行し、内側透明部材４２の対向部５２の上端部を透過して、表示パネル３１の左の演出表示部３７を照明する。
【００８５】
中ストップボタン１６Ｃの押操作を案内するときには、中央の３個のＬＥＤ８２Ｕが点灯される。このとき、各ＬＥＤ８２Ｕから出射されるパネル照明光は、ランプ保持部材３３のパネル照明光通過空間７２を前方に進行し、内側透明部材４２の対向部５２の上端部を透過して、表示パネル３１の中央の演出表示部３７を照明する。
【００８６】
右ストップボタン１６Ｒの押操作を案内するときには、右側の３コのＬＥＤ８２Ｕが点灯される。このとき、各ＬＥＤ８２Ｕから出射されるパネル照明光は、ランプ保持部材３３のパネル照明光通過空間７２を前方に進行し、内側透明部材４２の対向部５２の上端部を透過して、表示パネル３１の右の演出表示部３７を照明する。
【００８７】
ランプ保持部材３３の上部６２の後側のランプ基板３４に配置された下段の９個のＬＥＤ８２Ｌは、たとえば、リール４Ｌ，４Ｃ，４Ｒの回転／停止に応じて点灯／消灯される。
【００８８】
左のリール４Ｌの回転中は、左側の３個のＬＥＤ８２Ｌが点灯される。各ＬＥＤ８２Ｌから出射されるパネル照明光は、ランプ保持部材３３の左のリール照明光通過空間７０を前方に進行し、反射部６８の下面で反射されることにより、その光路が下方に折り曲げられて、リール４Ｌの周面の前方を下方に通過する。これにより、リール４Ｌの周面の前方がパネル照明光で照明される。左のリール４Ｌの停止中は、左側の３個のＬＥＤ８２Ｌが消灯される。
【００８９】
中央のリール４Ｃの回転中は、中央の３個のＬＥＤ８２Ｌが点灯される。各ＬＥＤ８２Ｌから出射されるパネル照明光は、ランプ保持部材３３の左のリール照明光通過空間７０を前方に進行し、反射部６８の下面で反射されることにより、その光路が下方に折り曲げられて、リール４Ｃの周面の前方を下方に通過する。これにより、リール４Ｃの周面の前方がパネル照明光で照明される。中央のリール４Ｃの停止中は、中央の３個のＬＥＤ８２Ｌが消灯される。
【００９０】
右のリール４Ｒの回転中は、左側の３個のＬＥＤ８２Ｌが点灯される。各ＬＥＤ８２Ｌから出射されるパネル照明光は、ランプ保持部材３３の左のリール照明光通過空間７０を前方に進行し、反射部６８の下面で反射されることにより、その光路が下方に折り曲げられて、リール４Ｒの周面の前方を下方に通過する。これにより、リール４Ｒの周面の前方がパネル照明光で照明される。右のリール４Ｒの停止中は、左側の３個のＬＥＤ８２Ｌが消灯される。
【００９１】
なお、表示パネル３１のクレジット数表示部３８および配当数表示部３９の後側には、たとえば、２桁の数字を表示可能な７セグメント表示器（図示せず）が配置されている。
【００９２】
＜作用効果＞
【００９３】
以上のように、外側透明部材４１および内側部材は、透明な樹脂からなる。外側透明部材４１は、スロットマシン１のリール４Ｌ，４Ｃ，４Ｒの周面に前側から対向する前面部４３を有している。内側透明部材４２は、外側透明部材４１に対してリール４Ｌ，４Ｃ，４Ｒ側に配置される。外側透明部材４１と内側透明部材４２とにより、表示パネル３１が外側透明部材４１の前面部４３の内面４３Ｆに面接触した状態で挟持される。
【００９４】
表示パネル３１の中央部には、リール窓１０を構成するフィルム開口３５が形成されている。内側透明部材４２の中央部には、フィルム開口３５と連通する内側開口５８が形成されている。そのため、スロットマシン１の組立後に、内側透明部材４２側から内側開口５８およびフィルム開口３５を介して、リール窓１０内を容易に清掃することができる。よって、スロットマシン１の組立後であっても、外側透明部材４１の前面部４３の内面４３Ｆにおけるリール窓１０に臨む部分に付着している塵埃を容易に除去することができる。その結果、スロットマシン１の外観を美しい状態に維持することができる。
【００９５】
内側透明部材４２に対してリール４Ｌ，４Ｃ，４Ｒ側には、ＬＥＤ８１，８２Ｕが配置されている。ＬＥＤ８１，８２Ｕから出射されるパネル照明光は、内側透明部材４２、表示パネル３１および外側透明部材４１をこの順に透過する。これにより、表示パネル３１がパネル照明光で照明される。また、内側透明部材４２に内側開口５８が形成されていることにより、内側透明部材４２には、内側開口５８に臨む端面４２Ｆが生じている。そのため、内側透明部材４２を透過するパネル照明光の一部がその端面４２Ｆから出射する。
【００９６】
この端面４２Ｆから出射するパネル照明光がリール窓１０内を進行すると、リール窓１０に対向して配置されるリール４Ｌ，４Ｃ，４Ｒの周面の前方がパネル照明光で照明され、光によるゲームの演出と遊技者に誤解されるおそれがある。
【００９７】
そこで、不透明な白色樹脂からなるランプ保持部材３３に、遮光部７３が設けられている。遮光部７３は、内側開口５８内に入り込み、外側透明部材４１の前面部４３の内面４３Ｆと内側透明部材４２の内側開口５８に臨む端面４２Ｆとに対向している。これにより、内側透明部材４２の端面４２Ｆから出射するパネル照明光を遮光部７３で遮断することができる。そのため、リール４Ｌ，４Ｃ，４Ｒの周面の前方がパネル照明光で照明されることを防止できる。
【００９８】
ＬＥＤ８２Ｕは、リール窓１０に対する上側の位置に設けられている。ＬＥＤ８２Ｕの下方には、リール４Ｌ，４Ｃ，４Ｒの周面の前方を照明するためのリール照明光を出射するＬＥＤ８２Ｌが設けられている。ランプ保持部材３３は、ＬＥＤ８２Ｌから出射されるリール照明光を反射させる反射部６８を有している。
【００９９】
この構成によれば、ＬＥＤ８２Ｌからのリール照明光は、反射部６８で反射して、リール４Ｌ，４Ｃ，４Ｒの周面の前方に向けて進行する。これにより、リール照明光が内側透明部材４２、表示パネル３１および外側透明部材４１をこの順に透過することを防止できる。その結果、表示パネル３１がリール照明光によって照明されることを防止できる。
【０１００】
遮光部７３は、四角環状をなし、内側透明部材４２の端面４２Ｆと当該端面４２Ｆの全周にわたって対向している。
【０１０１】
これにより、内側透明部材４２の端面４２Ｆのどの部分から出射するパネル照明光も遮光部７３で遮断することができる。そのため、リール４Ｌ，４Ｃ，４Ｒの周面の前方がパネル照明光で照明されることを良好に防止できる。
【０１０２】
また、内側透明部材４２に内側開口５８が形成されている構成では、外側透明部材４１の前面部４３における内側開口５８と対向する部分が内側透明部材４２と接していないので、当該部分の強度が外側透明部材４１の他の部分の強度よりも小さい。外側透明部材４１の前面部４３における内側開口５８と対向する部分に環状の遮光部７３が対向しているので、当該部分がリール４Ｌ，４Ｃ，４Ｒ側に押されることによって変形したときに、外側透明部材４１が遮光部７３に当接し、外側透明部材４１のそれ以上の変形を阻止することができる。その結果、外側透明部材４１の前面部４３における内側開口５８と対向する部分の補強の効果が得られ、当該部分の破損などを防止することができる。
【０１０３】
＜変形例＞
【０１０４】
以上、本発明の一実施形態について説明したが、本発明は、他の形態で実施することもできる。
【０１０５】
たとえば、遮光部７３の先端面は、外側透明部材４１の前面部４３の内面４３Ｆに表示パネル３１を挟んで対向しているとしたが、その内面４３Ｆとの間に表示パネル３１を挟まず、内面４３Ｆに対して直接対向していてもよい。
【０１０６】
また、遮光部７３は、四角環状に形成されているとしたが、たとえば、下方が開放されたコ字状に形成されていてもよい。この場合、遮光部７３は、内側透明部材４２の端面４２Ｆにおける内側開口５８の左右両側および上側に配置される部分と対向する。パネル照明光を出射するＬＥＤ８１，８２Ｕは、リール窓１０の左右両側および上側に配置されているので、遮光部７３がコ字状に形成された構成であっても、内側透明部材４２の端面４２Ｆから出射するパネル照明光を遮断することができる。
【０１０７】
また、本発明は、スロットマシン１に限らず、周面に図柄が描かれたリールを備える遊技機であれば、パチンコ機などの他の遊技機に適用することもできる。
【０１０８】
その他、前述の構成には、特許請求の範囲に記載された事項の範囲で種々の設計変更を施すことが可能である。
【符号の説明】
【０１０９】
１      スロットマシン（遊技機）
４Ｌ    リール
４Ｃ    リール
４Ｒ    リール
９      表示パネルユニット
１０    リール窓
３１    表示パネル（印刷フィルム）
３３    ランプ保持部材（不透明部材）
３５    フィルム開口
４１    外側透明部材（外側部材）
４２    内側透明部材（内側部材）
４２Ｆ  端面
４３    前面部
４３Ｆ  内面
５８    内側開口
６８    反射部
７３    遮光部
８１    ＬＥＤ（パネルランプ）
８２Ｕ  ＬＥＤ（パネルランプ）
８２Ｌ  ＬＥＤ（リールランプ）
【図１】
2014036715.tif 000003
【図２】
2014036715.tif 000004
【図３】
2014036715.tif 000005
【図４】
2014036715.tif 000006
【図５】
2014036715.tif 000007
【図６】
2014036715.tif 000008
【図７】
2014036715.tif 000009
【図８】
2014036715.tif 000010